【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
式（II）
【化１】
2016029144.tif 000001
（式中、R6、R7、R8、R9、R10、およびR11は、それぞれ独立して、H、アルキル、アルケニル、アルキニルおよびアリールからなる群から選択され、Xは、
【化２】
2016029144.tif 000002
（式中、R21、R22、R23、R24、およびR25は、それぞれ独立して、プロポキシ、ブトキシ、およびフェニルからなる群から選択される。）からなる群から選択され、tは1から10の範囲であり、yは1から200の範囲であり、zは1から1,000の範囲である。）
の改質シリコーン樹脂であって、約500cStから約10,000cStの範囲の粘度を有する、改質シリコーン樹脂。
【請求項２】
tが1から3の範囲であり、yが1から100の範囲であり、zが10から500の範囲である、請求項1に記載の改質シリコーン樹脂。
【請求項３】
R6、R7、R8、R9、R10、およびR11が、それぞれ独立して、H、C1−8アルキル、C2−8アルケニル、C2−8アルキニルおよびアリールからなる群から選択される、請求項1に記載の改質シリコーン樹脂。
【請求項４】
R6、R7、R8、R9、R10、およびR11が、それぞれ独立して、メチル、エチル、プロピル、ブチル、エチレニル、プロピレニル、ブチレニル、アセチレニル、ジアセチレニルおよびアリールからなる群から選択される、請求項1に記載の改質シリコーン樹脂。
【請求項５】
R6、R7、R8、R9、R10、およびR11が、それぞれ独立して、メチルおよびフェニルからなる群から選択される、請求項1に記載の改質シリコーン樹脂。
【請求項６】
式（II）の前記改質シリコーン樹脂が、樹脂（1）〜（3）
【表１】
2016029144.tif 000003
（式中、tは1から3の範囲であり、yは1から100の範囲であり、zは10から500の範囲である。）
からなる群から選択される少なくとも1つである、請求項1に記載の改質シリコーン樹脂。
【請求項７】
tとyの比が約1：1から約1：200の範囲である、請求項1に記載の改質シリコーン樹脂。
【請求項８】
式（II）
【化３】
2016029144.tif 000004
（式中、R6、R7、R8、R9、R10、およびR11は、それぞれ独立して、H、アルキル、アルケニル、アルキニルおよびアリールからなる群から選択され、Xは、アリーレン、遷移金属、シクロシロキサン、シルセスキオキサン、
【化４】
2016029144.tif 000005
（式中、R21、R22、R23、R24、R25、R55、およびR56は、それぞれ独立して、メチル、プロポキシ、ブトキシ、およびフェニルからなる群から選択される。）からなる群から選択され、tは1から10の範囲であり、yは1から200の範囲であり、zは1から1,000の範囲であり、t、yおよびzの値は、約500cStから約10,000cStの範囲の粘度を有する式（II）の化合物をもたらす。）
の少なくとも1つの改質シリコーン樹脂と、
少なくとも１つのシリケートと、
約1ナノメートルから約5マイクロメートルの範囲の粒径を有するFe2O3を含む、少なくとも1つの金属酸化物と、
ジブチルチンジラウラート、トリス（ジメチルアミノ）メチルシランおよびエチルトリアセトキシシランのうちの少なくとも1つである、少なくとも1つの硬化剤と
を含む、エラストマー配合物。
【請求項９】
前記式（II）の改質シリコーン樹脂において、tは1から3の範囲であり、yは1から100の範囲であり、zは10から500の範囲である、請求項８に記載のエラストマー配合物。
【請求項１０】
前記式（II）の改質シリコーン樹脂において、R6、R7、R8、R9、R10、およびR11が、それぞれ独立して、H、C1−8アルキル、C2−8アルケニル、C2−8アルキニルおよびアリールからなる群から選択される、請求項８に記載のエラストマー配合物。
【請求項１１】
前記式（II）の改質シリコーン樹脂において、R6、R7、R8、R9、R10、およびR11が、それぞれ独立して、メチル、エチル、プロピル、ブチル、エチレニル、プロピレニル、ブチレニル、アセチレニル、ジアセチレニルおよびアリールからなる群から選択される、請求項８に記載のエラストマー配合物。
【請求項１２】
前記式（II）の改質シリコーン樹脂において、R6、R7、R8、R9、R10、およびR11が、それぞれ独立して、メチルおよびフェニルからなる群から選択される、請求項８に記載のエラストマー配合物。
【請求項１３】
式（II）の前記少なくとも１つの改質シリコーン樹脂が、樹脂（1）〜（15）
【表２】
2016029144.tif 000006
2016029144.tif 000007
（式中、tは1から3の範囲であり、yは1から100の範囲であり、zは10から500の範囲である。）
からなる群から選択される、請求項８に記載のエラストマー配合物。
【請求項１４】
tとyの比が約1：1から約1：200の範囲である、請求項８に記載のエラストマー配合物。
【請求項１５】
前記少なくとも１つの金属酸化物が、酸化チタン、酸化セリウム、酸化亜鉛、および酸化ジルコニウムの少なくとも１つをさらに含む、請求項８に記載のエラストマー配合物。
【請求項１６】
前記少なくとも１つの金属酸化物が、酸化チタンをさらに含む、請求項８に記載のエラストマー配合物。
【請求項１７】
前記少なくとも1つの式（II）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つの硬化剤が、約0.10重量パーセントから約10重量パーセントの範囲の量で存在する、請求項８に記載のエラストマー配合物。
【請求項１８】
以下
【表３】
2016029144.tif 000008
（ここで、樹脂（１）及び樹脂（２）は、
【表４】
2016029144.tif 000009
である。）の配合物の少なくとも１つを含む、請求項８に記載のエラストマー配合物。
【請求項１９】
前記少なくとも1つのシリケートが、エチルシリケート、メチルシリケート、イソプロピルシリケートおよびブチルシリケートの少なくとも1つを含む、請求項８に記載のエラストマー配合物。
【請求項２０】
以下
【表５】
2016029144.tif 000010
（ここで、樹脂（１）及び樹脂（２）は、
【表６】
2016029144.tif 000011
である。）の配合物の少なくとも１つを含む、請求項８に記載のエラストマー配合物。
【請求項２１】
少なくとも1つのシリカをさらに含む、請求項８に記載のエラストマー配合物。
【請求項２２】
前記少なくとも1つのシリカが、ヒュームドシリカおよび官能化されたシリカの少なくとも１つを含む、請求項２１に記載のエラストマー配合物。
【請求項２３】
前記少なくとも1つの式（II）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つのシリカが、0重量パーセント超から約20重量パーセントの範囲の量で存在し、
少なくとも1つの硬化剤が、約0.10重量パーセントから約10重量パーセントの範囲の量で存在する、請求項２１に記載のエラストマー配合物。
【請求項２４】
少なくとも1つのシリケートと、少なくとも1つのシリカをさらに含む、請求項８に記載のエラストマー配合物。
【請求項２５】
前記少なくとも1つのシリケートが、エチルシリケート、メチルシリケート、イソプロピルシリケートおよびブチルシリケートの少なくとも1つを含み、
前記少なくとも1つのシリカが、ヒュームドシリカおよび官能化されたシリカの少なくとも１つを含む、請求項２４に記載のエラストマー配合物。
【請求項２６】
前記少なくとも1つの式（II）の改質シリコーン樹脂が、約5重量パーセントから約95重量パーセントの範囲の量で存在し、
前記少なくとも1つの金属酸化物が、約2重量パーセントから約80重量パーセントの範囲の量で存在し、
前記少なくとも1つのシリケートが、0重量パーセント超から約25重量パーセントの範囲の量で存在し、
前記少なくとも1つのシリカが、0重量パーセント超から約20重量パーセントの範囲の量で存在し、
前記少なくとも1つの硬化剤が、約0.10重量パーセントから約10重量パーセントの範囲の量で存在する、請求項２４に記載のエラストマー配合物。